(57)【要約】【課題】成分値及び特性値を上下限値の範囲内に入れつつ目標値に近づけるための各成分の狙い値を設定する。【解決手段】各成分及び各特性値の目標範囲（上限値、下限値、目標値）を読み込む（Ｓ１１）。線形計画法により、各成分の特性値に関する定義及び各成分及び各特性値の目標範囲の定義である制約条件をみたしつつ、狙い値と目標値との差異を要素とするベクトルに関するノルムで表される評価関数を最小化する最適化問題を解くことにより、各成分の狙い値を決定する（Ｓ１３）。【選択図】図２
2006257494.tif 000002
【特許請求の範囲】
【請求項１】
溶鋼に合金を投入して成分調整を行う際に、合金の種類及び投入量を決定するための溶鋼中の各成分の狙い値を決定するための成分設定方法であって、
各成分値の上下限値と目標値、及び、前記成分により規定される１又は２以上の特性値の上下限値と目標値を設定する目標範囲読み込みステップと、
前記各成分値の目標値及び前記各特性値の目標値との差が小さく、且つ、前記各成分値の上下限値及び前記各特性値の上下限値との差が大きい値を、各成分の狙い値として決定する狙い値決定ステップと、を備えることを特徴とする成分設定方法。
【請求項２】
前記各成分の狙い値は、更に、前記各成分に関して測定又は推定した現状成分値を下回らない範囲で決定することを特徴とする請求項１に記載の成分設定方法。
【請求項３】
溶鋼に合金を投入して成分調整を行う際に、合金の種類及び投入量を決定するための溶鋼中の各成分の狙い値を決定するための成分設定方法であって、
各成分値の上下限値と目標値、及び、前記成分により規定される１又は２以上の特性値の上下限値と目標値を設定する目標範囲読み込みステップと、
前記成分を、前記特性値を考慮した所定の条件を満たす決定成分と、当該決定成分以外の設定成分に分別する成分分別ステップと、
前記各設定成分は、前記目標値、又は、手入力により入力した値を狙い値として設定し、前記各決定成分は、当該決定成分の成分値及び前記各特性値の前記目標値との差が小さく、且つ、当該決定成分の成分値及び前記各特性値の上下限値との差が大きい値を狙い値として決定する狙い値決定ステップと、を備えることを特徴とする成分設定方法。
【請求項４】
前記各設定成分は、更に、前記各設定成分に関して測定又は推定した現状成分値、又は、当該現状成分値と前記目標値のいずれか大きい方の値を狙い値として決定し、
前記各決定成分は、更に、前記各決定成分に関して測定又は推定した現状成分値を下回らない範囲で狙い値を決定することを特徴とする請求項３に記載の成分設定方法。
【請求項５】
前記狙い値は、線形計画法により算出することを特徴とする請求項１〜４のいずれか一項に記載の成分設定方法。
【請求項６】
溶鋼に合金を投入して成分調整を行う際に、合金の種類及び投入量を決定するための溶鋼中の各成分の狙い値を決定するための成分設定装置であって、
各成分値の上下限値と目標値、及び、前記成分により規定される１又は２以上の特性値の上下限値と目標値を設定する目標範囲読み込み手段と、
前記各成分値の目標値及び前記各特性値の目標値との差が小さく、且つ、前記各成分値の上下限値及び前記各特性値の上下限値との差が大きい値を、各成分の狙い値として決定する狙い値決定手段と、を備えることを特徴とする成分設定装置。
【請求項７】
前記各成分の狙い値は、更に、前記各成分に関して測定又は推定した現状成分値を下回らない範囲で決定することを特徴とする請求項６に記載の成分設定装置。
【請求項８】
溶鋼に合金を投入して成分調整を行う際に、合金の種類及び投入量を決定するための溶鋼中の各成分の狙い値を決定するための成分設定装置であって、
各成分値の上下限値と目標値、及び、前記成分により規定される１又は２以上の特性値の上下限値と目標値を設定する目標範囲読み込み手段と、
前記成分を、前記特性値を考慮した所定の条件を満たす決定成分と、当該決定成分以外の設定成分に分別する成分分別手段と、
前記各設定成分は、前記目標値、又は、手入力により入力した値を狙い値として設定し、前記各決定成分は、当該決定成分の成分値及び前記各特性値の前記目標値との差が小さく、且つ、当該決定成分の成分値及び前記各特性値の上下限値との差が大きい値を狙い値として決定する狙い値決定手段と、を備えることを特徴とする成分設定装置。
【請求項９】
前記各設定成分は、更に、前記各設定成分に関して測定又は推定した現状成分値、又は、当該現状成分値と前記目標値のいずれか大きい方の値を狙い値として決定し、
前記各決定成分は、更に、前記各決定成分に関して測定又は推定した現状成分値を下回らない範囲で狙い値を決定することを特徴とする請求項８に記載の成分設定装置。
【請求項１０】
前記狙い値は、線形計画法により算出することを特徴とする請求項６〜９のいずれか一項に記載の成分設定方法。
【請求項１１】
溶鋼に合金を投入して成分調整を行う際に、合金の種類及び投入量を決定するための溶鋼中の各成分の狙い値を決定するためのプログラムであって、
各成分値の上下限値と目標値、及び、前記成分により規定される１又は２以上の特性値の上下限値と目標値を設定する目標範囲読み込み手段、
前記各成分値の目標値及び前記各特性値の目標値との差が小さく、且つ、前記各成分値の上下限値及び前記各特性値の上下限値との差が大きい値を、各成分の狙い値として決定する狙い値決定手段、としてコンピュータを機能させることを特徴とするプログラム。
【請求項１２】
前記各成分の狙い値は、更に、前記各成分に関して測定又は推定した現状成分値を下回らない範囲で決定することを特徴とする請求項１１に記載のプログラム。
【請求項１３】
溶鋼に合金を投入して成分調整を行う際に、合金の種類及び投入量を決定するための溶鋼中の各成分の狙い値を決定するためのプログラムであって、
各成分値の上下限値と目標値、及び、前記成分により規定される１又は２以上の特性値の上下限値と目標値を設定する目標範囲読み込み手段、
前記成分を、前記特性値を考慮した所定の条件を満たす決定成分と、当該決定成分以外の設定成分に分別する成分分別手段、
前記各設定成分は、前記目標値、又は、手入力により入力した値を狙い値として設定し、前記各決定成分は、当該決定成分の成分値及び前記各特性値の前記目標値との差が小さく、且つ、当該決定成分の成分値及び前記各特性値の上下限値との差が大きい値を狙い値として決定する狙い値決定手段、としてコンピュータを機能させることを特徴とするプログラム。
【請求項１４】
前記各設定成分は、更に、前記各設定成分に関して測定又は推定した現状成分値、又は、当該現状成分値と前記目標値のいずれか大きい方の値を狙い値として決定し、
前記各決定成分は、更に、前記各決定成分に関して測定又は推定した現状成分値を下回らない範囲で狙い値を決定することを特徴とする請求項１３に記載のプログラム。
【請求項１５】
前記狙い値は、線形計画法により算出することを特徴とする請求項１１〜１４のいずれか一項に記載のプログラム。
【発明の詳細な説明】
【技術分野】
【０００１】
本発明は、溶鋼に合金を投入して成分調整を行う際に、合金の種類及び投入量を決定するための溶鋼中の各成分の狙い値を決定するための成分設定方法及び成分設定装置、並びにプログラムに関するものである。
【背景技術】
【０００２】
製鉄プロセスでは、製鋼工程において、合金を投入することにより溶鋼中の成分調整を行っている。ここで、調整する成分として、Ｃ、Ｓｉ、Ｍｎ、Ｃｒ、Ｐ、Ｖ、Ｎｉ等の多くの元素を対象としている。そして、溶鋼に合金を投入することにより、溶鋼中のこれらの成分値を、チャージ毎に設定された上下限値内に入れつつ、なるべく目標値に近い値になるように調整する。
【０００３】
そこで、例えば、特許文献１には、溶鋼成分の目標範囲（上限値、下限値、最終目標値）、溶鋼成分の分析値、スラグ厚等から、元素の目標値（狙い値）の設定とそのための合金添加量を求める取鍋精錬炉における成分調整方法が開示されている。また、特許文献２には、合金材投入コストと、調整を行う合金元素の合金材投入後の目標含有量からのずれとのバランスを考慮して、合金材の投入量を決定する溶鋼の成分調整方法が開示されている。
【０００４】
【特許文献１】特開平９−３１０１１４号公報
【特許文献２】特開平９−３１６５１６号公報
【発明の開示】
【発明が解決しようとする課題】
【０００５】
一方、各チャージには、調整する成分である元素の成分値のみならず、複数の成分により規定される１または複数の特性値についても、上下限値及び目標値が設定される場合がある。以下に、特性値の例（式１〜３）を示す。
【０００６】
【数１】
2006257494.tif 000003
【０００７】
【数２】
2006257494.tif 000004
【０００８】
【数３】
2006257494.tif 000005
【０００９】
ここで、各成分値を目標値に調整したとしても、式１〜３に示すような特性値が上下限値に入らない場合がありうる。この状況を、図９及び図１０に示す具体例用いて、以下に説明する。図９及び図１０は、あるチャージにおけるＣ−Ｍｎ平面でのＣ、Ｍｎ、Ｃｅｑ（式２に示す特性値）の上下限値と目標値を示す図である。図９及び図１０において、２本の縦の実線はＣの上下限値を、縦の破線はＣの目標値を表しており、２本の横の実線はＭｎの上下限値を、横の破線はＭｎの目標値を表しており、２本の斜めの破線（太線）はＣｅｑが上下限となる直線を、斜めの破線（細線）はＣｅｑが目標値となる直線を表している。
【００１０】
図９は、Ｓｉ、Ｃｒ、Ｎｉ、Ｍｏ、Ｖの成分値が目標値となっている場合の例である。図９の場合は、Ｃｅｑが目標値となる直線は、ＣとＭｎの目標値の近くを通っているので、ＣとＭｎの目標値をそれぞれの成分の狙い値とすればＣｅｑも目標値に近い値となることがわかる。一方、図１０は、Ｓｉ、Ｃｒ、Ｎｉ、Ｍｏ、Ｖの中のいくつかの成分値が上限値に近い値となっている場合の例である。ここで、溶鋼中に合金を投入して成分値を調整する手段では、成分値を上げることができても、成分値を下げることができない。従って、図１０の場合、ＣとＭｎの双方に関して目標値をそれぞれの成分の狙い値としてしまうと、Ｃｅｑが上限値を外れてしまう。従って、図１０の場合は、図中の＊印をＣとＭｎそれぞれの成分の狙い値とすると、Ｃ、Ｍｎ、Ｃｅｑの上下限値を満たすことが可能になる。尚、以上に説明した例においては、ＣとＭｎでＣｅｑを調整する場合について説明したが、実際には、Ｃ、Ｍｎのみならず、Ｓｉ、Ｃｒ、Ｎｉ等を含めて特性値を調整する必要があり、更には、複数の特性値（例えば、式１に示す特性値及び式２に示す特性値）を同時に調整する必要がある場合もある。
【００１１】
しかしながら、従来技術（例えば、特許文献１または２に示す技術）によると、複数の成分により規定される１または複数の特性値を考慮して、各成分の狙い値を決定するには至らず、実際には、従来技術により計算された合金の投入量を参考にしつつ、操業者が、特性値を考慮に入れながら各成分の狙い値と合金投入量とを判断しており、高度な知識と経験が必要なために、各成分の狙い値の設定が困難であり、結果的に溶鋼の成分調整を精度良く行うことができないという問題が生じている。更に、近年は、製鋼製品の特性を厳格なものとするため、成分値と特性値の上下限値の範囲を狭める操業が指向されており、成分の狙い値の設定がより一層困難になってきている。
【００１２】
本発明の目的は、溶鋼に合金を投入して成分調整を行う際に、合金の種類及び投入量を決定するための溶鋼中の各成分の狙い値を決定するための、成分設定方法及び成分設定装置、並びにプログラムであって、成分値及び特性値を、上下限値の範囲内に入れつつ目標値に近づけるための、各成分の狙い値を設定することができ、その結果、溶鋼の成分調整を精度良く行うができる、成分設定方法及び成分設定装置、並びにプログラムを提供することである。
【課題を解決するための手段及び効果】
【００１３】
第一の発明に係る成分設定方法は、溶鋼に合金を投入して成分調整を行う際に、合金の種類及び投入量を決定するための溶鋼中の各成分の狙い値を決定するための成分設定方法であって、各成分値の上下限値と目標値、及び、前記成分により規定される１又は２以上の特性値の上下限値と目標値を設定する読み込みステップと、前記各成分値の目標値及び前記各特性値の目標値との差が小さく、且つ、前記各成分値の上下限値及び前記各特性値の上下限値との差が大きい値を、各成分の狙い値として決定する狙い値決定ステップと、を備えることを特徴とする。
【００１４】
第一の発明に係る成分設定装置は、溶鋼に合金を投入して成分調整を行う際に、合金の種類及び投入量を決定するための溶鋼中の各成分の狙い値を決定するための成分設定装置であって、各成分値の上下限値と目標値、及び、前記成分により規定される１又は２以上の特性値の上下限値と目標値を設定する読み込み手段と、前記各成分値の目標値及び前記各特性値の目標値との差が小さく、且つ、前記各成分値の上下限値及び前記各特性値の上下限値との差が大きい値を、各成分の狙い値として決定する狙い値決定手段と、を備えることを特徴とする。
【００１５】
これによると、各成分と各特性値に関する上下限値、目標値を用いて、各成分と各特性値に関する目標値との差が少なく、且つ、上下限値への接近を回避するような値を、各成分の狙い値として決定している。従って、成分値及び特性値が目標値に近い値でのみならず、実際の操業の結果として成分値が狙い値より多少変動したとしても、成分値及び特性値が上下限値から外れにくくなり、溶鋼の成分調整を精度良く行うことができる。
【００１６】
ここで、第一の発明に係る成分設定方法及び成分設定装置において、前記各成分の狙い値は、更に、前記各成分に関して測定又は推定した現状成分値を下回らない範囲で決定してよい。
【００１７】
これによると、各成分の現状成分値を下回らない範囲で、各成分の狙い値を決定している。従って、溶鋼中の成分の成分値を下げることができない合金投入による溶鋼の成分調整に対応することができる。
【００１８】
また、第二の発明に係る成分設定方法は、溶鋼に合金を投入して成分調整を行う際に、合金の種類及び投入量を決定するための溶鋼中の各成分の狙い値を決定するための成分設定方法であって、各成分値の上下限値と目標値、及び、前記成分により規定される１又は２以上の特性値の上下限値と目標値を設定する読み込みステップと、前記成分を、前記特性値を考慮した所定の条件を満たす決定成分と、当該決定成分以外の設定成分に分別する成分分別ステップと、前記各設定成分は、前記目標値、又は、手入力により入力した値を狙い値として設定し、前記各決定成分は、当該決定成分の成分値及び前記各特性値の前記目標値との差が小さく、且つ、当該決定成分の成分値及び前記各特性値の上下限値との差が大きい値を狙い値として決定する狙い値決定ステップと、を備えることを特徴とする。
【００１９】
第二の発明に係る成分設定装置は、溶鋼に合金を投入して成分調整を行う際に、合金の種類及び投入量を決定するための溶鋼中の各成分の狙い値を決定するための成分設定装置であって、各成分値の上下限値と目標値、及び、前記成分により規定される１又は２以上の特性値の上下限値と目標値を設定する読み込み手段と、前記成分を、前記特性値を考慮した所定の条件を満たす決定成分と、当該決定成分以外の設定成分に分別する成分分別手段と、前記各設定成分は、前記目標値、又は、手入力により入力した値を狙い値として設定し、前記各決定成分は、当該決定成分の成分値及び前記各特性値の前記目標値との差が小さく、且つ、当該決定成分の成分値及び前記各特性値の上下限値との差が大きい値を狙い値として決定する狙い値決定手段と、を備えることを特徴とする。
【００２０】
これによると、溶鋼中の成分を、所定の条件を満たす決定成分と、それ以外の設定成分に分別し、決定成分については、各決定成分と各特性値に関する上下限値、目標値を用いて、各決定成分と各特性値に関する目標値との差が少なく、且つ、上下限値への接近を回避するような値を狙い値として決定し、各設定成分については、目標値や操業者などの判断に基づいた手入力による狙い値を決定している。従って、成分値及び特性値が目標値に近い値でのみならず、実際の操業の結果として成分値が狙い値より多少変動したとしても、成分値及び特性値が上下限値から外れにくくなり、溶鋼の成分調整を精度良く行うことができるとともに、第一の発明に係る成分設定方法及び成分設定装置と比較して、狙い値の決定における計算負荷を低減し、高速に狙い値を計算することができる。
【００２１】
ここで、第二の発明に係る成分設定方法及び成分設定装置において、前記各設定成分は、更に、前記各設定成分に関して測定又は推定した現状成分値、又は、当該現状成分値と前記目標値のいずれか大きい方の値を狙い値として決定し、
前記各決定成分は、更に、前記各決定成分に関して測定又は推定した現状成分値を下回らない範囲で狙い値を決定してよい。
【００２２】
これによると、各決定成分については、現状成分値を下回らない範囲で狙い値を決定し、各設定成分については、現状成分値を反映した値を狙い値として決定できるようにしている。従って、溶鋼中の成分の成分値を下げることができない合金投入による溶鋼の成分調整に対応することができる。
【００２３】
尚、第一の発明及び第二の発明に係る成分設定方法及び成分設定装置において、前記狙い値は、線形計画法により算出してよい。
【００２４】
これによると、線形計画法により狙い値を算出している。従って、最適化手法として狙い値の高速計算を実現することができる。
【００２５】
また、本発明に係るプログラムは、コンピュータを上述したような成分設定装置として機能させることが可能なプログラムであり、上述したような成分設定装置と夫々同様の作用効果を奏する。なお、本発明のプログラムは、ＣＤ−ＲＯＭ、ＦＤ、ＭＯなどのリムーバブル型記録媒体やハードディスクなどの固定型記録媒体に記録して配布可能である他、有線又は無線の電気通信手段によってインターネットなどの通信ネットワークを介して配布可能である。
【発明を実施するための最良の形態】
【００２６】
以下、図面を参照しつつ、本発明の好適な実施形態について説明する。
【００２７】
[第一の発明の第一の実施形態]
まず、第一の発明の第一の実施形態に係る成分設定装置を、図１に基づいて説明する。図１は、第一の発明の第一の実施形態に係る成分設定装置のブロック図である。図１に示すように、第一の発明の第一の実施形態に係る成分設定装置１０は、各成分及び各特性値の目標範囲１１と、目標範囲読み込み機能１２と、狙い値決定機能１５とから構成される。尚、第一の発明の第一の実施形態に係る成分設定装置１０により狙い値が決定されると、決定された狙い値に基づいて投入する合金の種類や量を算出し、溶鋼処理設備１の操業を行う。
【００２８】
ここで、図１に示されている成分設定装置１０は、例えば汎用のコンピュータ（プロセスコンピュータ等）によって構成されている。かかるコンピュータには、ＣＰＵ、ＲＯＭ、ＲＡＭ、ハードディスクなどのハードウェアが収納されており、ハードディスクには、当該コンピュータを成分設定装置１として機能させるためのプログラム（このプログラムは、ＣＤ−ＲＯＭ、ＦＤ、ＭＯなどのリムーバブル型記録媒体に記録しておくことにより、任意のコンピュータにインストールすることが可能である）を含む各種のソフトウェアが記憶されている。そして、これらのハードウェア及びソフトウェアが組み合わされることによって、成分設定装置１０が構築されている。
【００２９】
各成分及び各特性値の目標範囲１１は、各成分及び各特性値に関する上下限値と目標値（目標範囲）であり、操業者が手入力により予め記録媒体に記録する。そして、後述する目標範囲読み込み機能１２に対して、各成分及び各特性値に関する上下限値と目標値（目標範囲）を出力する。本実施形態においては、溶鋼処理の対象とするチャージ（溶鋼）に含まれる成分をＣ、Ｓｉ、Ｍｎ、Ｃｒ、Ｐ、Ｖ、Ｎｂ、Ｎｉ、Ｍｏとし、これらの成分で規定される特性値ＣＥ、Ｃｅｑを下記の式１、式２の通りとする。尚、製鋼工程にて調整する成分は左記以外にもあるが、ここでは各特性値に関連する成分のみを選択した。
【００３０】
【数１】
2006257494.tif 000006
【００３１】
【数２】
2006257494.tif 000007
【００３２】
そして、各特性値の上下限値と目標値（目標範囲）を下記の通り記録する。
【００３３】
【表１】
2006257494.tif 000008
【００３４】
また、各成分の上下限値と目標値（目標範囲）を下記の通り記録する。
【００３５】
【表２】
2006257494.tif 000009
【００３６】
目標範囲読み込み機能１２は、予め記録媒体に記録された各成分及び各特性値の目標範囲１１を読み込むためのものである。そして、狙い値決定機能１５に対して、読み込んだ各成分及び各特性値の目標範囲を出力する。
【００３７】
狙い値決定機能１５は、入力された各成分及び各特性値に関する上下限値と目標値（目標範囲）に基づいて、各成分の狙い値を決定するためのものである。後述する第一の発明の第一の実施形態に係る成分設定方法においてより詳細に説明するが、狙い値決定機能１５では、線形計画法を用いて、各成分の狙い値を、各成分及び各特性値に関する目標値との差を少なくし、且つ、各成分及び各特性値に関する上下限値から離れた値で決定する。尚、決定された各成分の狙い値は、図示しない出力装置（ディスプレイやプリンタなど）に出力する。
【００３８】
次に、第一の発明の第一の実施形態に係る成分設定装置１０を用いた成分設定方法を、図２のフローチャートに基づいて説明する。図２は、第一の発明の第一の実施形態に係る成分設定方法のフローチャートを示すものである。
【００３９】
まず、目標範囲読み込み機能１２において、予め記録媒体に記録された各成分及び各特性値の上下限値と目標値（目標範囲）１１を読み込む（ステップＳ１１：目標範囲読み込みステップ）。ここで、各成分及び各特性値をｉ（ｉ＝Ｃ、Ｓｉ、Ｍｎ、Ｃｒ、Ｐ、Ｖ、Ｎｂ、Ｎｉ、Ｍｏ、ＣＥ、Ｃｅｑ）とすると、各成分及び各特性値の上限値をＵi、下限値をＬi、目標値をＡiとする。
【００４０】
次に、狙い値決定機能１５において、目標範囲読み込み機能１２で入力された各成分及び各特性値に関する上下限値と目標値（目標範囲）に基づいて、各成分の狙い値を決定する（ステップＳ１３：狙い値決定ステップ）。ここで、各成分及び各特性値の狙い値をＸｉとするとき、下記の式４及び式５の関係が成立する。
【００４１】
【数４】
2006257494.tif 000010
【００４２】
そして、これらの各成分及び各特性値の狙い値と目標値との差異（ｄi）を要素とするベクトルをｄとし、各成分と各特性値に関する目標値との差を小さく、且つ、これらの値を上下限値との差を大きくする各成分の狙い値を、下記の式４、式５、式７の制約条件を満たしつつ、式６の評価関数を最小化する最適化問題を解くことにより決定する。
【００４３】
【数５】
2006257494.tif 000011
【００４４】
ここで、評価関数における‖ｄ‖は、ベクトルｄに関するノルムを表し、ノルムの例として、式８に示す絶対値ノルム、式９に示す距離ノルム、式１０に示す最大値ノルム、また、式８〜式１０に示すノルムの荷重線形和等を用いることができる。
【００４５】
【数６】
2006257494.tif 000012
【００４６】
尚、絶対値ノルムや距離ノルムを評価関数に用いると、各成分毎に狙い値を目標値に近づける効果がある。また、最大値ノルムを評価関数に用いると、最も上下限値に近い成分の狙い値を上下限値から遠ざける効果がある。
【００４７】
本実施形態においては、最適化問題を下記の線形計画法により解く。
【００４８】
決定変数をＸi、ｄ-i、ｄ+i、λとする。
【００４９】
非負制約を式１１とする。
【００５０】
【数７】
2006257494.tif 000013
【００５１】
ＣＥ、Ｃｅｑの定義に関する等式制約を式４、式５に示す。
【００５２】
【数４】
2006257494.tif 000014
【００５３】
目標値との差の定義に関する等式制約を式１２に示す。式１２において、ｄ-iとｄ+iは各成分及び各特性値に対する狙い値と目標値との差異を表している。従って、Ｘi≠Ａiの場合は、ｄ-iまたはｄ+iのいずれか一方が０となり、他方は正の値をとる。この正の値は、狙い値Ｘiが上下限を超すと、１を超す値となる。狙い値が目標値に近いほど０に近く、また、狙い値が上下限値に近いほど１に近い値となる。
【００５４】
【数８】
2006257494.tif 000015
【００５５】
最も上下限値に近い値の定義に関する等式制約を式１３に示す。尚、式１３に示す制約で、ｄ-iとｄ+iはλ以下の値となるので、この制約を満たすλの最も小さな値は、ｄ-iとｄ+iの値の最大値となる。
【００５６】
【数９】
2006257494.tif 000016
【００５７】
上下限制約を式１４に示す。
【００５８】
【数１０】
2006257494.tif 000017
【００５９】
評価関数を式１５に示す。尚、式１５では、ノルムとして絶対値ノルム（右辺第１項）と最大値ノルム（右辺第２項）の荷重線形和を用いている。
【００６０】
【数１１】
2006257494.tif 000018
【００６１】
以上の線形計画法を解くことにより、以下の結果（表３）が得られる。尚、計算結果は決定された各成分の狙い値として出力装置に表示する（ステップＳ１５）。
【００６２】
【表３】
2006257494.tif 000019
【００６３】
また、図３に、Ｃ−Ｍｎ平面におけるＣ、Ｍｎ、ＣＥ、Ｃｅｑの上下限値と目標値、及び、ＣとＭｎの狙い値の計算結果を示す。図３において、３つの斜線（実線）はＣＥに関する上下限値及び目標値を表しており、３つの斜線（点線）はＣｅｑに関する上下限値及び目標値を表している。また、各成分値と各特性値が上下限制約に入る範囲にハッチをいれ、ＣとＭｎの計算された狙い値を＊印で表している。
【００６４】
表３及び図３から、各成分及び各特性値は、目標値に近い値であり、且つ、全ての上下限制約からも離れた値となっていることがわかる。
【００６５】
以上に説明したように、第一の発明の第一の実施形態に係る成分設定装置１０及び成分設定方法によると、目標範囲読み込み機能１２で読み込んだ各成分と各特性値に関する上下限値、目標値を用いて（図２に示すステップＳ１１）、狙い値決定機能１５において、各成分と各特性値に関する目標値との差が少なく、且つ、上下限値への接近を回避するような値を、各成分の狙い値として決定している（図２に示すステップＳ１３）。従って、成分値及び特性値が目標値に近い値でのみならず、実際の操業の結果として成分値が狙い値より多少変動したとしても、成分値及び特性値が上下限値から外れにくくなり、溶鋼の成分調整を精度良く行うことができる。
【００６６】
また、狙い値決定機能１５において、線形計画法により狙い値を算出している（図２に示すステップＳ１３）。従って、最適化手法として狙い値の高速計算を実現することができる。
【００６７】
[第一の発明の第二の実施形態]
まず、第一の発明の第二の実施形態に係る成分設定装置を、図４に基づいて説明する。尚、第一の発明の第一の実施形態に係る成分設定装置と同じ部材については、同一の符号を付して、その説明を省略する。図４は、第一の発明の第二の実施形態に係る成分設定装置のブロック図である。図４に示すように、第一の発明の第一の実施形態に係る成分設定装置１６は、各成分及び各特性値の目標範囲１１と、目標範囲読み込み機能１２と、各成分の現状成分値１３と、現状成分値読み込み機能１４と、狙い値決定機能１７とから構成される。尚、第一の発明の第二の実施形態に係る成分設定装置１６により狙い値が決定されると、決定された狙い値に基づいて投入する合金の種類や量を算出し、溶鋼処理設備１の操業を行う。
【００６８】
尚、図４に示されている成分設定装置１６は、例えば汎用のコンピュータ（プロセスコンピュータ等）によって構成されている。かかるコンピュータには、ＣＰＵ、ＲＯＭ、ＲＡＭ、ハードディスクなどのハードウェアが収納されており、ハードディスクには、当該コンピュータを成分設定装置１として機能させるためのプログラム（このプログラムは、ＣＤ−ＲＯＭ、ＦＤ、ＭＯなどのリムーバブル型記録媒体に記録しておくことにより、任意のコンピュータにインストールすることが可能である）を含む各種のソフトウェアが記憶されている。そして、これらのハードウェア及びソフトウェアが組み合わされることによって、成分設定装置１６が構築されている。
【００６９】
各成分の現状成分値１３は、各成分に関する現状成分値であり、溶鋼処理設備１で予め溶鋼中に含まれる各成分の現状成分値を随時測定して、記録媒体に記録する。そして、後述する現状成分値読み込み機能１４に対して、各成分に関する現状成分値を出力する。本実施形態においては、各成分の現状成分値を下記の通り記録する。
【００７０】
【表４】
2006257494.tif 000020
【００７１】
現状成分値読み込み機能１４は、測定されて記録媒体に記録された各成分の現状成分値１３を読み込むためのものである。そして、狙い値決定機能１７に対して、読み込んだ各成分の現状成分値を出力する。
【００７２】
狙い値決定機能１７は、入力された各成分及び各特性値に関する上下限値と目標値（目標範囲）に基づいて、各成分の狙い値を決定するためのものである。後述する第一の発明の第二の実施形態に係る成分設定方法においてより詳細に説明するが、狙い値決定機能１７では、線形計画法を用いて、各成分の狙い値を、各成分及び各特性値に関する目標値との差を少なくし、且つ、各成分及び各特性値に関する上下限値から離れた値にあり、更に、各成分の現状成分値を下回らない範囲で決定する。尚、決定された各成分の狙い値は、図示しない出力装置（ディスプレイやプリンタなど）に出力する。
【００７３】
次に、第一の発明の第二の実施形態に係る成分設定装置１６を用いた成分設定方法を、図５のフローチャートに基づいて説明する。図５は、第一の発明の第二の実施形態に係る成分設定方法のフローチャートを示すものである。
【００７４】
まず、目標範囲読み込み機能１２において、予め記録媒体に記録された各成分及び各特性値の上下限値と目標値（目標範囲）１１を読み込む（ステップＳ１１：目標範囲読み込みステップ）。次に、現状成分値読み込み機能１４において、各成分の現状成分値を読み込む（ステップＳ１２：現状成分値読み込みステップ）。ここで、各成分及び各特性値をｉ（ｉ＝Ｃ、Ｓｉ、Ｍｎ、Ｃｒ、Ｐ、Ｖ、Ｎｂ、Ｎｉ、Ｍｏ、ＣＥ、Ｃｅｑ）とすると、各成分及び各特性値の上限値をＵi、下限値をＬi、目標値をＡiとするとともに、各成分の現状成分値をＮiとする。
【００７５】
次に、狙い値決定機能１７において、目標範囲読み込み機能１２で入力された各成分及び各特性値に関する上下限値と目標値（目標範囲）と、現状成分値読み込み機能１４で入力された各成分の現状成分値に基づいて、各成分の狙い値を決定する（ステップＳ１４：狙い値決定ステップ）。ここで、各成分及び各特性値の狙い値をＸｉとするとき、下記の式４及び式５の関係が成立する。
【００７６】
【数４】
2006257494.tif 000021
【００７７】
上述した第一の発明の第一の実施形態に係る成分設定方法と同様に、各成分及び各特性値に関して、狙い値と目標値との差異（ｄi）を要素とするベクトルをｄとする。そして、各成分と各特性値に関する目標値との差を小さく、且つ、これらの値を上下限値との差を大きくし、更に、各成分の現状成分値を下回らない各成分の狙い値を、下記の式４、式５、式７、式１６の制約条件を満たしつつ、式６の評価関数を最小化する最適化問題を解くことにより決定する。
【００７８】
【数１２】
2006257494.tif 000022
【００７９】
本実施形態においては、最適化問題を下記の線形計画法により解く。
【００８０】
決定変数をＸi、ｄ-i、ｄ+i、λとする。
【００８１】
非負制約を式１１とする。
【００８２】
【数７】
2006257494.tif 000023
【００８３】
ＣＥ、Ｃｅｑの定義に関する等式制約を式４、式５に示す。
【００８４】
【数４】
2006257494.tif 000024
【００８５】
目標値との差の定義に関する等式制約を式１２に示す。式１２において、ｄ-iとｄ+iは各成分及び各特性値に対する狙い値と目標値との差異を表している。従って、Ｘi≠Ａiの場合は、ｄ-iまたはｄ+iのいずれか一方が０となり、他方は正の値をとる。この正の値は、狙い値Ｘiが上下限を超すと、１を超す値となる。狙い値が目標値に近いほど０に近く、また、狙い値が上下限値に近いほど１に近い値となる。
【００８６】
【数８】
2006257494.tif 000025
【００８７】
最も上下限値に近い値の定義に関する等式制約を式１３に示す。尚、式１３に示す制約で、ｄ-iとｄ+iはλ以下の値となるので、この制約を満たすλの最も小さな値は、ｄ-iとｄ+iの値の最大値となる。
【００８８】
【数９】
2006257494.tif 000026
【００８９】
現状成分値を下回らない制約を式１７に示す。
【００９０】
【数１３】
2006257494.tif 000027
【００９１】
上下限制約を式１４に示す。
【００９２】
【数１０】
2006257494.tif 000028
【００９３】
評価関数を式１５に示す。尚、式１５では、ノルムとして絶対値ノルム（右辺第１項）と最大値ノルム（右辺第２項）の荷重線形和を用いている。
【００９４】
【数１１】
2006257494.tif 000029
【００９５】
以上の線形計画法を解くことにより、以下の結果（表５）が得られる。尚、計算結果は決定された各成分の狙い値として出力装置に表示する（ステップＳ１５）。
【００９６】
【表５】
2006257494.tif 000030
【００９７】
また、図６に、Ｃ−Ｍｎ平面におけるＣ、Ｍｎ、ＣＥ、Ｃｅｑの上下限値と目標値、及び、ＣとＭｎの狙い値の計算結果を示す。図６において、３つの斜線（実線）はＣＥに関する上下限値及び目標値を表しており、３つの斜線（点線）はＣｅｑに関する上下限値及び目標値を表している。また、Ｍｎ値が現状値を下回らない範囲で、且つ、各成分値と各特性値が上下限制約に入る範囲にハッチをいれ、ＣとＭｎの計算された狙い値を＊印で表している。
【００９８】
表５及び図６から、各成分及び各特性値は、目標値に近い値であり、且つ、全ての上下限制約からも離れた値となっていることがわかる。
【００９９】
以上に説明したように、第一の発明の第二の実施形態に係る成分設定装置１６及び成分設定方法によると、現状成分値読み込み機能１４で読み込んだ各成分に関する現状成分値を用いて（図５に示すステップＳ１２）、狙い値決定機能１７において、各成分の現状成分値を下回らない範囲で、各成分の狙い値を決定している（図５に示すステップＳ１４）。従って、溶鋼中の成分の成分値を下げることができない合金投入による溶鋼の成分調整に対応することができる。
【０１００】
[第二の発明の実施形態]
まず、第二の発明の実施形態に係る成分設定装置を、図７に基づいて説明する。図７は、第二の発明の実施形態に係る成分設定装置のブロック図である。図７に示すように、第二の発明の実施形態に係る成分設定装置２０は、各成分及び各特性値の目標範囲２１と、目標範囲読み込み機能２２と、各成分の現状成分値２３と、現状成分値読み込み機能２４と、成分分別機能２５と、狙い値決定機能２６とから構成される。尚、第二の発明の実施形態に係る成分設定装置２０により狙い値が決定されると、決定された狙い値に基づいて投入する合金の種類や量を算出し、溶鋼処理設備１の操業を行う。
【０１０１】
ここで、図７に示されている成分設定装置２０は、例えば汎用のコンピュータ（プロセスコンピュータ等）によって構成されている。かかるコンピュータには、ＣＰＵ、ＲＯＭ、ＲＡＭ、ハードディスクなどのハードウェアが収納されており、ハードディスクには、当該コンピュータを成分設定装置１として機能させるためのプログラム（このプログラムは、ＣＤ−ＲＯＭ、ＦＤ、ＭＯなどのリムーバブル型記録媒体に記録しておくことにより、任意のコンピュータにインストールすることが可能である）を含む各種のソフトウェアが記憶されている。そして、これらのハードウェア及びソフトウェアが組み合わされることによって、成分設定装置２０が構築されている。
【０１０２】
各成分及び各特性値の目標範囲２１は、各成分及び各特性値に関する上下限値と目標値（目標範囲）であり、操業者が手入力により予め記録媒体に記録する。そして、後述する目標範囲読み込み機能１２に対して、各成分及び各特性値に関する上下限値と目標値（目標範囲）を出力する。本実施形態においては、溶鋼処理の対象とするチャージ（溶鋼）に含まれる成分をＣ、Ｓｉ、Ｍｎ、Ｃｒ、Ｐ、Ｖ、Ｎｂ、Ｎｉ、Ｍｏとし、これらの成分で規定される特性値ＣＥ、Ｃｅｑを下記の式１、式２の通りとする。尚、製鋼工程にて調整する成分は左記以外にもあるが、ここでは各特性値に関連する成分のみを選択した。
【０１０３】
【数１】
2006257494.tif 000031
【０１０４】
【数２】
2006257494.tif 000032
【０１０５】
そして、各特性値の上下限値と目標値（目標範囲）を下記の通り記録する。
【０１０６】
【表１】
2006257494.tif 000033
【０１０７】
また、各成分の上下限値と目標値（目標範囲）を下記の通り記録する。
【０１０８】
【表２】
2006257494.tif 000034
【０１０９】
目標範囲読み込み機能２２は、予め記録媒体に記録された各成分及び各特性値の目標範囲２１を読み込むためのものである。そして、狙い値決定機能２６に対して、読み込んだ各成分及び各特性値の目標範囲を出力する。
【０１１０】
各成分の現状成分値２３は、各成分に関する現状成分値であり、溶鋼処理設備１で予め溶鋼中に含まれる各成分の現状成分値を随時測定して、記録媒体に記録する。そして、後述する現状成分値読み込み機能２４に対して、各成分に関する現状成分値を出力する。本実施形態においては、各成分の現状成分値を下記の通り記録する。
【０１１１】
【表４】
2006257494.tif 000035
【０１１２】
現状成分値読み込み機能２４は、測定されて記録媒体に記録された各成分の現状成分値２３を読み込むためのものである。そして、狙い値決定機能２６に対して、読み込んだ各成分の現状成分値を出力する。
【０１１３】
成分分別機能２５は、対象とする成分に対し、決定成分と設定成分に分別するためのものである。即ち、特性値は、
・対象とする溶鋼処理設備にて調整可能である
・特性値への感度が高い
・上下限値の範囲が広い
・成分調整が容易である
等の条件を満たす成分を主に用いて調整するため、これらの条件を満たす成分を決定成分とし、それ以外の成分を設定成分として分別する。本実施形態においては、決定成分をＣ、Ｓｉ、Ｍｎ、Ｃｒとし、設定成分をＰ、Ｖ、Ｎｂ、Ｎｉ、Ｍｏとする。
【０１１４】
狙い値決定機能２６は、入力された各成分及び各特性値に関する上下限値と目標値（目標範囲）に基づいて、各成分の狙い値を決定するためのものである。後述する第二の発明の実施形態に係る成分設定方法においてより詳細に説明するが、狙い値決定機能２６では、決定成分については、線形計画法を用いて、各決定成分の狙い値を、各決定成分及び各特性値に関する目標値との差を少なくし、且つ、各決定成分及び各特性値に関する上下限値から離れた値にあり、更に、各決定成分の現状成分値を下回らない範囲で決定する。そして、設定成分については、各設定成分の狙い値として、操業者２が手入力にて入力した値、各設定成分の目標値や現状成分値や目標値と現状成分値のいずれか大きい方の値等を決定する。尚、決定された各成分の狙い値は、図示しない出力装置（ディスプレイやプリンタなど）に出力する。
【０１１５】
次に、第二の発明の実施形態に係る成分設定装置２０を用いた成分設定方法を、図８のフローチャートに基づいて説明する。図８は、第二の発明の実施形態に係る成分設定方法のフローチャートを示すものである。
【０１１６】
まず、目標範囲読み込み機能２２において、予め記録媒体に記録された各成分及び各特性値の上下限値と目標値（目標範囲）２１を読み込む（ステップＳ２１：目標範囲読み込みステップ）。次に、現状成分値読み込み機能２４において、各成分の現状成分値を読み込む（ステップＳ２２：現状成分値読み込みステップ）。そして、成分分別機能２５において、成分を決定成分と設定成分に分別する（ステップＳ２３：成分分別ステップ）。ここで、各決定成分及び各特性値をｉ（ｉ＝Ｃ、Ｓｉ、Ｍｎ、Ｃｒ、ＣＥ、Ｃｅｑ）とすると、各決定成分及び各特性値の上限値をＵi、下限値をＬi、目標値をＡiとするとともに、各決定成分の現状成分値をＮiとする。また、各設定をｊ（ｊ＝Ｐ、Ｖ、Ｎｂ、Ｎｉ、Ｍｏ）とすると、各設定成分の上限値をＵj、下限値をＬj、目標値をＡjとするとともに、各設定成分の現状成分値をＮjとする。
【０１１７】
次に、狙い値決定機能２６において、目標範囲読み込み機能２２で入力された各成分及び各特性値に関する上下限値と目標値（目標範囲）と、現状成分値読み込み機能２４で入力された各成分の現状成分値２４に基づいて、各成分（各決定成分及び各設定成分）の狙い値を決定する（ステップＳ２４：狙い値決定ステップ）。
【０１１８】
ここで、まず各設定成分の狙い値の決定方法について説明する。各設定成分の狙い値をＢｊとすると、本実施形態においては、Ｐ以外の成分については、式１７の通り、各設定成分の目標値と現状成分値のいずれか大きい方の値を狙い値として決定する。Ｐについては、現状成分値を狙い値として決定する。
【０１１９】
【数１４】
2006257494.tif 000036
【０１２０】
以上の結果、設定成分ｊの狙い値は、以下の表６の通り決定される。尚、計算結果は決定された各設定成分の狙い値として出力装置に表示する（ステップＳ２５）。
【０１２１】
【表６】
2006257494.tif 000037
【０１２２】
次に、各決定成分の狙い値の決定方法について説明する。各決定成分及び各特性値の狙い値をＸｉとするとき、下記の式４及び式５の関係が成立する。
【０１２３】
【数４】
2006257494.tif 000038
【０１２４】
そして、これらの各決定成分及び各特性値の狙い値と目標値との差異（ｄi）を要素とするベクトルをｄとし、各決定成分と各特性値に関する目標値との差を小さく、且つ、これらの値を上下限値との差を大きくし、更に、各決定成分の現状成分値を下回らない各決定成分の狙い値を、下記の式４、式５、式７、式１６の制約条件を満たしつつ、式６の評価関数を最小化する最適化問題を解くことにより決定する。
【０１２５】
【数１２】
2006257494.tif 000039
【０１２６】
本実施形態においては、最適化問題を下記の線形計画法により解く。
【０１２７】
決定変数をＸi、ｄ-i、ｄ+i、λとする。
【０１２８】
非負制約を式１１とする。
【０１２９】
【数７】
2006257494.tif 000040
【０１３０】
ＣＥ、Ｃｅｑの定義に関する等式制約を式４、式５に示す。
【０１３１】
【数４】
2006257494.tif 000041
【０１３２】
目標値との差の定義に関する等式制約を式１２に示す。式１２において、ｄ-iとｄ+iは各決定成分及び各特性値に対する狙い値と目標値との差異を表している。従って、Ｘi≠Ａiの場合は、ｄ-iまたはｄ+iのいずれか一方が０となり、他方は正の値をとる。この正の値は、狙い値Ｘiが上下限を超すと、１を超す値となる。狙い値が目標値に近いほど０に近く、また、狙い値が上下限値に近いほど１に近い値となる。
【０１３３】
【数８】
2006257494.tif 000042
【０１３４】
最も上下限値に近い値の定義に関する等式制約を式１３に示す。尚、式１３に示す制約で、ｄ-iとｄ+iはλ以下の値となるので、この制約を満たすλの最も小さな値は、ｄ-iとｄ+iの値の最大値となる。
【０１３５】
【数９】
2006257494.tif 000043
【０１３６】
現状成分値を下回らない制約を式１７に示す。
【０１３７】
【数１３】
2006257494.tif 000044
【０１３８】
上下限制約を式１４に示す。
【０１３９】
【数１０】
2006257494.tif 000045
【０１４０】
評価関数を式１５に示す。尚、式１５では、ノルムとして絶対値ノルム（右辺第１項）と最大値ノルム（右辺第２項）の荷重線形和を用いている。
【０１４１】
【数１１】
2006257494.tif 000046
【０１４２】
以上の線形計画法を解くことにより、以下の結果（表７）が得られる。尚、計算結果は決定された各決定成分の狙い値として出力装置に表示する（ステップＳ２５）。
【０１４３】
【表７】
2006257494.tif 000047
【０１４４】
表７に示す値には、式４及び式５により、表６で設定された設定成分の狙い値が反映されている。また、本実施形態の線形計画法での計算における決定変数の個数は１９個であり、第一の発明の実施形態の線形計画法での計算における決定変数の個数（３４個）と比較すると非常に少なくなっており、成分設定装置の計算負荷を低減し、高速に狙い値を計算することができることがわかる。更に、第一の発明の第二の実施形態の計算結果（表５）と本実施形態での計算結果（表７）と比較すると、決定成分及び特性値の狙い値の差異は微小であり、本実施形態による決定成分と設定成分を分別して狙い値を決定した方法が妥当であることがわかる。
【０１４５】
以上に説明したように、第二の発明の実施形態に係る成分設定装置２０及び成分設定方法によると、成分分別機能２５により溶鋼中の成分を、所定の条件を満たす決定成分と、それ以外の設定成分に分別し（図８に示すステップＳ２３）、狙い値決定機能２６において、決定成分については、目標範囲読み込み機能２２で読み込んだ各決定成分と各特性値に関する上下限値、目標値を用いて、各決定成分と各特性値に関する目標値との差が少なく、且つ、上下限値への接近を回避するような値であり、更に、現状成分値を下回らない値を狙い値として決定し、各設定成分については、目標範囲読み込み機能２２で読み込んだ各設定成分の目標値や操業者などの判断に基づいた手入力による狙い値を決定している（図８に示すステップＳ２４）。従って、成分値及び特性値が目標値に近い値でのみならず、実際の操業の結果として成分値が狙い値より多少変動したとしても、成分値及び特性値が上下限値から外れにくくなり、溶鋼の成分調整を精度良く行うことができるとともに、第一の発明の実施形態による成分設定方法及び成分設定装置と比較して、狙い値の決定における計算負荷を低減し、高速に狙い値を計算することができる。また、溶鋼中の成分の成分値を下げることができない合金投入による溶鋼の成分調整に対応することができる。
【０１４６】
また、狙い値決定機能１５において、線形計画法により狙い値を算出している（図８に示すステップＳ２４）。従って、最適化手法として狙い値の高速計算を実現することができる。
【０１４７】
以上、本発明の好適な実施形態について説明したが、本発明はその趣旨を超えない範囲において変更が可能である。
【０１４８】
本実施形態においては、予め、各成分や各特性値に関して、上下限値や目標値が設定されているが、実際には、各成分や各特性値に関する上下限値や目標値の一部が設定されていない場合もありうる。この場合には、目標範囲読み込み機能及び目標範囲読み込みステップにおいて、各成分や各特性値に関する上下限値や目標値を設定するようにして良い。例えば、下限値が設定されていない場合は、下限値＝０と設定する。また、目標値が設定されていない場合は、現状成分値が読み込まれていなければ目標値＝下限値、現状成分値が読み込まれていれば目標値＝ｍａｘ（下限値、目標値）とする。また、上限値が設定されていない場合は、上限値＝非常に大きな値（１００％）と設定する。
【図面の簡単な説明】
【０１４９】
【図１】第一の発明の第一の実施形態に係る成分設定装置のブロック図である。
【図２】第一の発明の第一の実施形態に係る成分設定方法のフローチャートである。
【図３】第一の発明の第一の実施形態に係る成分設定装置及び成分設定方法に基づいて算出した狙い値の決定結果である。
【図４】第一の発明の第二の実施形態に係る成分設定装置のブロック図である。
【図５】第一の発明の第二の実施形態に係る成分設定方法のフローチャートである。
【図６】第一の発明の第二の実施形態に係る成分設定装置及び成分設定方法に基づいて算出した狙い値の決定結果である。
【図７】第二の発明の実施形態に係る成分設定装置のブロック図である。
【図８】第二の発明の実施形態に係る成分設定方法のフローチャートである。
【図９】あるチャージにおいて、Ｓｉ、Ｃｒ、Ｎｉ、Ｍｏ、Ｖの成分値が目標値となっている場合の、Ｃ−Ｍｎ平面でのＣ、Ｍｎ、Ｃｅｑの上下限値と目標値を示す図である。
【図１０】あるチャージにおいて、Ｓｉ、Ｃｒ、Ｎｉ、Ｍｏ、Ｖの中のいくつかの成分値が上限値に近い値となっている場合に対し、Ｃ−Ｍｎ平面におけるＣ、Ｍｎ、Ｃｅｑの上下限値と目標値を示す図である。
【符号の説明】
【０１５０】
１０    成分設定装置
１２    目標範囲読み取り機能
１４    現状成分値読み取り機能
１５    狙い値決定機能
１６    成分設定装置
１７    狙い値決定機能
２０    成分設定装置
２２    目標範囲読み取り機能
２４    現状成分値読み取り機能
２５    成分分別機能
２６    狙い値決定機能
Ｓ１１  目標範囲読み取りステップ
Ｓ１２  現状成分値読み取りステップ
Ｓ１３  狙い値決定ステップ
Ｓ１４  狙い値決定ステップ
Ｓ２１  目標範囲読み取りステップ
Ｓ２２  現状成分値読み取りステップ
Ｓ２３  成分分別ステップ
Ｓ２４  狙い値決定ステップ
【図１】
2006257494.tif 000048
【図２】
2006257494.tif 000049
【図３】
2006257494.tif 000050
【図４】
2006257494.tif 000051
【図５】
2006257494.tif 000052
【図６】
2006257494.tif 000053
【図７】
2006257494.tif 000054
【図８】
2006257494.tif 000055
【図９】
2006257494.tif 000056
【図１０】
2006257494.tif 000057